(57)【要約】      （修正有）【課題】スピーディにアラーム時間の設定ができる手書き時計装置の提供。【解決手段】一種の手書き式時計装置であり、制御モジュール、ディスプレイユニット、計時ユニット、発声装置、手書き入力ユニットを含めている。主には、制御モジュールにおいて手書き入力ユニットを連結する。当該手書き入力ユニットは複写層、トナー層及び検知電路層によって構成される。手書き入力ユニットにアラーム時間を直接に書き入れ、手書き入力ユニット内の検知電路層によって入力された文字を識別して信号を制御モジュールに伝送する。計時ユニットがアラーム時間と一致になる時に、制御モジュールは発声装置に信号を送り出してアラーム機能を起動する。これで、使用者はよりスピーディな操作でアラームの設定ができ、本考案の斬新な設計を際立たせることができる。【選択図】図１
0003129642.tif 000002
【実用新案登録請求の範囲】
【請求項１】
制御モジュール、計時ユニット、ディスプレイユニット、手書き入力ユニット及び発声装置を含み、
該制御モジュールは各装置の稼動を制御し、
該計時ユニットは制御モジュールに連結し、
該ディスプレイユニットは制御モジュールに連結して制御モジュールからの信号を表示し、
該手書き入力ユニットは制御モジュールに連結して手書き指令を入力し、
該発声装置は制御モジュールに連結して制御モジュールからの信号を受けた後に音を鳴らすことを特徴とする手書き時計装置。
【請求項２】
当該制御モジュールはマイクロプロセスチップであることを特徴とする請求項１記載の手書き時計装置。
【請求項３】
当該制御モジュールは更に温度検知センサーを含めていることを特徴とする請求項１記載の手書き時計装置。
【請求項４】
当該制御モジュールは更に制御ボタンを含めていることを特徴とする請求項１記載の手書き時計装置。
【請求項５】
当該手書き入力ユニットはトナー層、複写層及び検知電路層によって構成されていることを特徴とする請求項１記載の手書き時計装置。
【請求項６】
当該手書き入力ユニットは更にリードスイッチを含めていることを特徴とする請求項１記載の手書き時計装置。
【考案の詳細な説明】
【技術分野】
【０００１】
本考案は一種の手書き時計装置に関するものであり、特に手書き装置を利用して直接にアラーム時間を時計に入力することにより、時計装置の設定手順を減少し、便利さと技術性を引き立てる目的を実現するものを指している。
【背景技術】
【０００２】
周知の目覚まし時計は機械式の短い針を回転することによってアラームの設定が行われている。時計の時間がアラーム時間に到達すると、内部部品を接触して発声装置に音を鳴らせる。このタイプのアラーム時間の設定方法は構造設計や不当な操作方法などの原因でアラームモジュールを損害させてしまうことがある。
【０００３】
また、電子時計や電子腕時計のアラーム設定は複雑な操作を経て始めて正確な設定ができるという煩雑な手順で時間を無駄にしてしまうし、一般に使用されている目覚まし時計でも前述の操作方法で使用されるものばかりでり、何の特殊変化もないので、従来のアラーム設定のやり方には改善すべきのところがある。
【考案の開示】
【考案が解決しようとする課題】
【０００４】
本考案の主要目的は、一種の手書き式時計装置を提供し、直接の手書き方式でアラーム時間の設定を行い、使用者にスピーディな設定の便利さを提供できる。
【０００５】
本考案の副次目的は、手書き式時計装置を提供し、温度検知センサーで外部環境の温度を検知することにより、環境温度の情報を提供することにある。
【０００６】
前述の目的を実現するために、本考案の手書き式時計装置は主に以下のものを含めている、
制御モジュールは各装置の稼動を制御する。計時ユニットは制御モジュールに連結している。ディスプレイユニットは制御モジュールに連結して制御モジュールが伝送する信号を表示する。手書き入力ユニットは制御モジュールを連結して手書きの指令を入力する。発声装置は制御モジュールを連結して制御モジュールからの信号を受けた後に音を発する。
【０００７】
制御モジュール内には温度検知センサーが設けられ、外部環境の温度を検知して制御モジュールに伝送することができる。検知された温度はディスプレイユニットによって表示される。
【０００８】
一つの好ましい実施例では、当該手書き式時計装置には制御モジュールに連結するボタンが設けられている。時計装置が鳴った時に押されることによって時計装置が鳴るのを遅延させる。
【０００９】
理想の実施例では、手書き入力ユニットはトナー層、複写層及び検知電路層によって構成される。検知電路層は識別システムであり、中には検知電路が設けられており、手書き入力ユニットに複写された文字を、内部に設定された識別モジュールで入力された文字を順序に識別することができる。
【００１０】
前述のように、手書き入力ユニットでアラーム時間を直接に入力することにより、煩雑な設定を低減することができる。手書きでアラーム時間を直接に設定することは使用者にスピーディな設定という便利さを提供する以外に、斬新な設計という技術性を際立たせることもできる。
【課題を解決するための手段】
【００１１】
請求項１の考案は、制御モジュール、計時ユニット、ディスプレイユニット、手書き入力ユニット及び発声装置を含み、
該制御モジュールは各装置の稼動を制御し、
該計時ユニットは制御モジュールに連結し、
該ディスプレイユニットは制御モジュールに連結して制御モジュールからの信号を表示し、
該手書き入力ユニットは制御モジュールに連結して手書き指令を入力し、
該発声装置は制御モジュールに連結して制御モジュールからの信号を受けた後に音を鳴らすことを特徴とする手書き時計装置としている。
請求項２の考案は、当該制御モジュールはマイクロプロセスチップであることを特徴とする請求項１記載の手書き時計装置としている。
請求項３の考案は、当該制御モジュールは更に温度検知センサーを含めていることを特徴とする請求項１記載の手書き時計装置としている。
請求項４の考案は、当該制御モジュールは更に制御ボタンを含めていることを特徴とする請求項１記載の手書き時計装置としている。
請求項５の考案は、当該手書き入力ユニットはトナー層、複写層及び検知電路層によって構成されていることを特徴とする請求項１記載の手書き時計装置としている。
請求項６の考案は、当該手書き入力ユニットは更にリードスイッチを含めていることを特徴とする請求項１記載の手書き時計装置としている。
【考案の効果】
【００１２】
本考案は手書き時計装置、直接の手書き方式でアラーム時間の設定を行い、使用者にスピーディな設定の便利さを提供できる。
【考案を実施するための最良の形態】
【００１３】
まず図１から図５を参照すること。本考案は一種の手書き時計装置１０であり、主に以下のものを含めている、
制御モジュール１１は各装置の稼動を制御する。計時ユニット１２は制御モジュール１１に連結している。ディスプレイユニット１３は制御モジュール１１に連結して制御モジュール１１からの信号を表示する。手書き入力ユニット１４は制御モジュール１１に連結して手書き指令を入力する。発声装置１５は制御モジュール１１に連結して制御モジュール１１からの信号を受けた後に音を発する。この中で、制御モジュール１１はマイクロプロセスチップである。
【００１４】
制御モジュール１１内には温度検知センサー１６が設けられており、外部環境の温度を検知して制御モジュール１１に伝送する。そして、ディスプレイユニット１３によって検知された温度が表示される。
【００１５】
一つの好ましい実施例では、手書き式時計装置１０には制御ボタン１７が設けられて制御モジュール１１に連結し、時計装置１０が鳴った時にこのボタンを押せば、時計装置が鳴るのを遅延させることができる。
【００１６】
一つの理想的な実施例では、手書き入力ユニット１４は、トナー層１４１、複写層１４２及び検知電路層１４３によって構成されている。当該検知電路層１４３は識別システムであり、中では検知電路が設けられて手書き入力ユニット１４に書かれた文字を、内部設定の識別モジュールで順序に識別することができる。
【００１７】
図２から図６を参照すること。本考案は使用時において、手書き入力ユニット１４に直接にアラーム時間を入力し、検知電路層１４３を通して入力された文字を順序に識別する。そして、識別された情報を制御モジュール１１に伝送し、計時ユニット１２の時間がアラームの設定時間と一致になる時に、制御モジュール１１は発声装置１５に信号を送る。発声装置１５はアラームを発して使用者に通知する。
【００１８】
続いては図４と図５を参照すること。当該手書き入力ユニット１４はトナー層１４１、複写層１４２及び検知電路層１４３を用いて入力された文字を識別する。この検知電路層１４３の内部設定モジュールは、検知エリアを四つに分けて文字の入力されたエリアに従って検知電路層１４３が逐次に識別する。毎回の識別は一文字に限られず、一遍で順序に多数の文字を直接に識別することができる。また、確認できるように、トナー層１４１と複写層１４２で入力された文字を手書き入力ユニット１４に表示することができる。
【００１９】
また、図７を参照してください。時計装置１０と手書き入力ユニット１４が連結する間にリードスイッチ１８がある。当該リードスイッチ１８は制御モジュール１１に連結しており、アラーム時間を変える時には、手書き入力ユニット１４を引き上げれば、リードスイッチ１８は稼動して制御モジュール１１に信号を伝送し、設定されたアラーム時間を取り消したり、または間違えて入力された文字を消したりすることにより、新たなアラーム時間の入力ができる。
【００２０】
図８では、リードスイッチ１８のもう一つの実施例の表示図が示されている。ここでは、手書き入力ユニット１４にリードスイッチ１８が設置されている。リードスイッチ１８を移動させることにより、手書き入力ユニット１４に書かれた文字を取り消すことができ、新たにアラーム時間を入力し直すことができる。
【００２１】
図３では、制御モジュール１１に温度検知センサー１６が設置されている。これで外部温度を検知してディスプレイユニット１３で表示する。しかも、制御ボタン１７はアラームが鳴る時間を遅延させることができ、使用者が手書き入力ユニット１４を引き上げてリードスイッチ１８を起動させるまでには、時計装置１０が鳴るのを止めさせる。
【００２２】
また、文字の入力が終わった後、制御モジュール１１が手書き入力ユニット１４からの信号を受けて確認すれば、発声装置１５に指令を送り、発声装置１５の内部モジュールの設定によってアラーム時間の確認を知らせする。
【００２３】
本考案の手書き入力ユニット１４を利用すれば、すぐアラーム時間を直接に入力することができ、煩雑な設定手順を減少することができる。それに、リードスイッチで入力された時間を取り消すことができるので、斬新な設計を実現し、便利さと技術性を際立たせることができる。
【図面の簡単な説明】
【００２４】
【図１】本考案の外観に関する立体図である。
【図２】本考案の装置表示図である。
【図３】本考案のもう一つの装置表示図である。
【図４】本考案における識別システムの流れ表示図である。
【図５】本考案の手書き入力ユニットの構造表示図である。
【図６】本考案の使用状態に関する表示図である。
【図７】本考案において時計装置の時間を更新する操作の表示図である。
【図８】本考案におけるリードスイッチに関する応用実施例の図である。
【符号の説明】
【００２５】
１０  時計装置
１１  制御モジュール
１２  計時ユニット
１３  ディスプレイユニット
１４  手書き入力ユニット
１４１  トナー層
１４２  複写層
１４３  検知電路層
１５  発声装置
１６  温度検知センサー
１７  制御ボタン
１８  リードスイッチ
【図１】
0003129642.tif 000003
【図２】
0003129642.tif 000004
【図３】
0003129642.tif 000005
【図４】
0003129642.tif 000006
【図５】
0003129642.tif 000007
【図６】
0003129642.tif 000008
【図７】
0003129642.tif 000009
【図８】
0003129642.tif 000010